(57)【要約】【課題】  被取付板材の前側での簡単な操作で挟持片を埋設用機器内に収納させ、挟持片が被取付板材の裏側に引っ掛かることなく埋設状態にある埋設用機器を被取付板材からスムーズに取り外すことのできる埋設用機器を提供する。【解決手段】  緩め方向に回転させた取付操作ねじ４に挟持片５を緩め方向に共廻りさせるための緩め側共廻り手段９を有する。緩め側共廻り手段９にて共廻りさせた挟持片５を埋設用機器１に設けた挟持片収納部１１に収容した状態で廻り止めさせるための緩め側廻止部１０を有する。緩め側共廻り手段９と緩め側廻止部１０とで挟持片収納部１１内に収容した挟持片５を埋設用機器１に対して保持させると共に、上記挟持片５の保持が取付操作ねじ４の締付け方向の回転によって解除されるような収納維持手段１２を有する。【選択図】図１
2008054254.tif 000002
【特許請求の範囲】
【請求項１】
被取付板材に穿設した取付用開口に埋め込むように取り付けられる埋設用機器であって、この埋設用機器にその前後方向を軸方向とする取付操作ねじを軸方向に移動せずに回転自在にして備えると共に、この取付操作ねじに扁平板状の挟持片をその偏芯位置で螺合させ、締付け方向に回転させた取付操作ねじに対して挟持片を締付け方向に共廻りさせるための締付側共廻り手段を有すると共に、締付側共廻り手段にて共廻りさせた挟持片を埋設用機器から側方に突出する状態で廻り止めさせるための締付側廻止部を有し、これら締付側廻止部と締付側共廻り手段とで被取付板材の裏側に位置させた挟持片を締付け方向に回転する取付操作ねじに沿って前方に螺進させつつ埋設用機器から側方に突出する状態にして、この状態の挟持片と埋設用機器の前部に側方に突設させたフランジ片とで被取付板材の取付用開口縁を前後に挟持可能にし、緩め方向に回転させた取付操作ねじに挟持片を緩め方向に共廻りさせるための緩め側共廻り手段を有すると共に、緩め側共廻り手段にて共廻りさせた挟持片を埋設用機器に設けた挟持片収納部に収容した状態で廻り止めさせるための緩め側廻止部を有し、緩め側共廻り手段と緩め側廻止部とで挟持片収納部内に収容した挟持片を埋設用機器に対して保持させると共に、上記挟持片の保持が取付操作ねじの締付け方向の回転によって解除されるような収納維持手段を有して成ることを特徴とする埋設用機器。
【請求項２】
収納維持手段を、緩め方向に回転する取付操作ねじに沿って後方に螺進させた挟持片の後面と埋設用機器に設けた当り面とが圧接されるようにして構成したことを特徴とする請求項１に記載の埋設用機器。
【請求項３】
緩め側共廻り手段を、緩め方向に回転する取付操作ねじに沿って後方に螺進させた挟持片の後面と埋設用機器に設けた当り面とが当接した時点で、取付操作ねじに対して挟持片が共廻りをして挟持片収納部内に収容されるようにして構成したことを特徴とする請求項２記載の埋設用機器。
【発明の詳細な説明】
【技術分野】
【０００１】
本発明は、被取付板材に埋設される埋設用機器に関するものである。
【背景技術】
【０００２】
従来から、埋設スピーカーや埋設配電機器など、被取付板材２に穿設した取付用開口３に埋設される埋設用機器１を、その一部が被取付板材２の表面側に露出されるかたちで被取付板材２の内部に埋設する場合には、被取付板材２に穿設した取付用開口３に埋設用機器１を挿入し、埋設用機器１に備えた挟持手段によって被取付板材２の取付用開口縁を前後に挟持することが行われている。
【０００３】
挟持手段としては、たとえば図８のように、埋設用機器１に前後に取付操作ねじ４を遊挿し、この取付操作ねじ４に扁平板状の挟持片５をその偏芯位置で螺合させ、取付操作ねじ４に共廻りさせた挟持片５を、埋設用機器１に設けた締付側廻止部７によって回転規制させることで埋設用機器１から側方に突出する状態にし、この状態の挟持片５を被取付板材２の裏側に位置させて、埋設用機器１のフランジ片８と挟持片５とで被取付板材２の取付用開口縁を前後に挟持することが行われている（たとえば特許文献１参照）。
【０００４】
この挟持手段によると、埋設用機器１を取付用開口３に挿入した後に、取付操作ねじ４を締付け方向に回転させて締付側共廻り手段６によって挟持片５を締付け方向に共廻りさせ、締付側廻止部７によって回転規制させることで埋設用機器１から側方に突出する状態にして、埋設用機器１のフランジ片８と挟持片５とで被取付板材２の取付用開口縁を前後に挟持するといった作業で、被取付板材２に埋設用機器１を埋設できるから、被取付板材２への埋設用機器１の埋設施工は比較的良好に行うことができる。
【０００５】
しかしながら、上記挟持片５は、埋設用機器１から側方に突出する状態にするように取付操作ねじ４と共に締付け方向に共廻りをさせることは可能にされているが、この埋設用機器１から側方に突出する状態から埋設用機器１から側方に突出しない状態（埋設用機器１内に収納される状態）にするために取付操作ねじ４と共に緩め方向に共廻りされるようには為されていない。したがって、埋設されている埋設用機器１を、そのメンテナンスや交換の際に、被取付板材２から取り外すのは困難である、といった問題があった。
【０００６】
つまり、被取付板材２の挟持を解除するように取付操作ねじ４を緩めたとしても、依然として、挟持片５は埋設用機器１から側方に突出する状態になっているのであり、この埋設用機器１から側方に突出する挟持片５が被取付板材２の裏側に引っ掛かってしまい、スムーズに埋設用機器１を被取付板材２から取り外すことはできないのである。しかして、埋設用機器１を被取付板材２から取り外す際には、埋設用機器１と取付用開口縁との隙間から細い工具などを突っ込んで被取付板材２の裏側で挟持片５を埋設用機器１内に収納する状態にしなければならないといった困難な作業を要することとなるのであり、しかも、一旦、埋設用機器１内に収納された挟持片５であっても、埋設用機器１を傾けたりすると挟持片５がその自重で再び埋設用機器１から側方に突出する状態になり、再び被取付板材２の裏側で挟持片５を埋設用機器１内に収納する状態にする困難な作業を強いられる場合もしばしばあった。
【特許文献１】特開平１０−１１７４１７号公報
【発明の開示】
【発明が解決しようとする課題】
【０００７】
本発明は上記の従来の問題点に鑑みて為したものであって、被取付板材の前側での簡単な操作で挟持片を埋設用機器内に収納させることができ、しかも、挟持片が被取付板材の裏側に引っ掛かることなく埋設状態にある埋設用機器を被取付板材からスムーズに取り外すことのできる埋設用機器を提供することを課題とするものである。
【課題を解決するための手段】
【０００８】
上記課題を解決するために本発明の請求項１に係る埋設用機器１は、被取付板材２に穿設した取付用開口３に埋め込むように取り付けられる埋設用機器１であって、この埋設用機器１にその前後方向を軸方向とする取付操作ねじ４を軸方向に移動せずに回転自在にして備えると共に、この取付操作ねじ４に扁平板状の挟持片５をその偏芯位置で螺合させ、締付け方向に回転させた取付操作ねじ４に対して挟持片５を締付け方向に共廻りさせるための締付側共廻り手段６を有すると共に、締付側共廻り手段６にて共廻りさせた挟持片５を埋設用機器１から側方に突出する状態で廻り止めさせるための締付側廻止部７を有し、これら締付側廻止部７と締付側共廻り手段６とで被取付板材２の裏側に位置させた挟持片５を締付け方向に回転する取付操作ねじ４に沿って前方に螺進させつつ埋設用機器１から側方に突出する状態にして、この状態の挟持片５と埋設用機器１の前部に側方に突設させたフランジ片８とで被取付板材２の取付用開口縁を前後に挟持可能にし、緩め方向に回転させた取付操作ねじ４に挟持片５を緩め方向に共廻りさせるための緩め側共廻り手段９を有すると共に、緩め側共廻り手段９にて共廻りさせた挟持片５を埋設用機器１に設けた挟持片収納部１１に収容した状態で廻り止めさせるための緩め側廻止部１０を有し、緩め側共廻り手段９と緩め側廻止部１０とで挟持片収納部１１内に収容した挟持片５を埋設用機器１に対して保持させると共に、上記挟持片５の保持が取付操作ねじ４の締付け方向の回転によって解除されるような収納維持手段１２を有して成ることを特徴とする。
【０００９】
これによると、緩め側共廻り手段９と緩め側廻止部１０によって挟持片５を挟持片収納部１１内に収容した状態にできるのであり、つまり、従来のように工具などを取付用開口３から挿入して被取付板材２の裏側で挟持片５を埋設用機器１内に収容させるような煩雑な作業が必要ではなく、取付操作ねじ４を緩め方向に回転させるといった被取付板材２の前側での簡単な操作で、挟持片５を挟持片収納部１１内に収容した状態にできる。そして、収納維持手段１２によって挟持片５を挟持片収納部１１に収容させた状態で保持させることができるから、埋設用機器１を傾けたりしても挟持片５が自重によって埋設用機器１の側方に突出してしまうことも無く、従来のように挟持片５が被取付板材２の裏側に引っ掛かる恐れも無くて、スムーズに取付用開口３から埋設用機器１を取り外すことができるのである。
【００１０】
また、収納維持手段１２を、緩め方向に回転する取付操作ねじ４に沿って後方に螺進させた挟持片５の後面５ｂと埋設用機器１に設けた当り面１３とが圧接されるようにして構成することも好ましく、更に、緩め側共廻り手段９を、緩め方向に回転する取付操作ねじ４に沿って後方に螺進させた挟持片５の後面５ｂと埋設用機器１に設けた当り面１３とが当接した時点で、取付操作ねじ４に対して挟持片５が共廻りをして挟持片収納部１１内に収容されるようにして構成することも好ましい。これによると、埋設用機器１に設けた当り面１３が収納維持手段１２及び緩め側共廻り手段９を兼用することができるから、簡単な構造で収納維持手段１２及び緩め側共廻り手段９を埋設用機器１に備えることができる。
【発明の効果】
【００１１】
本発明は、被取付板材の前側での簡単な操作によって挟持片を埋設用機器内に収納させることができる利点を有し、更に、挟持片が埋設用機器内に収納された状態が維持されて挟持片が被取付板材の裏側に引っ掛かることなく埋設状態にある埋設用機器を被取付板材からスムーズに取り外すことができる利点を有する。
【発明を実施するための最良の形態】
【００１２】
以下、本発明を添付図面に示す実施形態に基いて説明する。
【００１３】
本例の埋設用機器１は図２のように便器２０に埋設される埋設スピーカー１ａである。埋設スピーカー１ａは図３のようにスピーカー１４を内装したボディ１５と後面カバー１６とで成る本体ブロック１７の前面に蓋板ブロック１８をその四隅で取付ねじ１９によって一体に取り付けることで構成されている。蓋板ブロック１８は前後に貫通する左右に長いスリットが上下に並べて形成されており、この蓋板ブロック１８の周縁部は本体ブロック１７よりも外方に突出していてフランジ片８を構成している。また、便器２０は上方に開口せるボウル部２１の周囲を設置面から立設した円弧板状のスカート板材２２で覆設して形成されており、上記埋設スピーカー１ａは、スカート板材２２とボウル部２１との間の中空空間であるデッドスペースにスカート板材２２に穿設した取付用開口３から本体ブロック１７を挿入し、被取付板材２となるスカート板材２２における取付用開口縁を埋設スピーカー１ａのフランジ片８と後述する挟持片５とで前後に挟持するようにして取り付けて埋設される。なお、取付用開口３は、正面視で本体ブロック１７よりも大きく且つ蓋板ブロック１８よりも小さい開口面積に形成されている。
【００１４】
埋設スピーカー１ａにはその前後方向を軸方向とする取付操作ねじ４が軸方向に移動せずに回転自在にされた状態で左右に一対備えられており、取付操作ねじ４にはそれぞれ扁平板状の挟持片５がその偏芯位置で螺合されている。詳しくは、図１（ｂ）や図６のように、取付操作ねじ４は、その軸部４ａが蓋板ブロック１８に穿設した貫通孔２３を貫通し、本体ブロック１７の左右縁部に凹設した凹所状の挟持片収納部１１内を前後に通って、軸部４ａの先端が本体ブロック１７の挟持片収納部１１の後面１１ｄに設けた軸受孔２４に回転自在に支持されるようにして配置されており、取付操作ねじ４の軸部４ａにおける挟持片収納部１１内に位置する箇所に挟持片５が螺合されている。取付操作ねじ４は、その頭部４ｂが貫通孔２３の前側に位置し、貫通孔２３の裏側に位置する取付操作ねじ４の軸部４ａにＥリングである抜け止め片２５を取り付けることで、埋設スピーカー１ａからの抜け止めが図られている。上記取り付けられた抜け止め片２５と挟持片５との間の取付操作ねじ４の軸部４ａにはコイルバネ２６が巻装されている。挟持片収納部１１は挟持片５を収納するための空所であって、上面１１ａ、下面１１ｂ、側面１１ｃ及び後面１１ｄにより囲まれて外方に開口するように形成されている。挟持片５は、金属製の長板材であり、取付操作ねじ４の螺合位置と反対側の端部で前方に突出する押圧突部５ａが形成されている。なお、取付操作ねじ４の頭部４ｂは蓋板ブロック１８の前面に露出するが、蓋板ブロック１８の前面に着脱自在に取付けたカバー体２７によって隠匿されて埋設スピーカー１ａに良好な外観が確保される。
【００１５】
この埋設スピーカー１ａは具体的に以下のようにして便器２０に埋設される。まず、埋設スピーカー１ａの本体ブロック１７をスカート板材２２の取付用開口３からスカート板材２２の内部に挿入する。このとき、挟持片５は後述するように収納維持手段１２によって挟持片収納部１１内に収納保持できるのであり、作業者が持つ埋設スピーカー１ａを傾けても挟持片５が埋設スピーカー１ａから側方に飛び出させずに埋設スピーカー１ａの本体ブロック１７の取付用開口３への挿入を挟持片５に邪魔させずに確実に行なわせることができる。次いで、取付操作ねじ４を締付け方向に回転させる。取付操作ねじ４を締付け方向に回転させると、挟持片５が取付操作ねじ４に沿って前方に移動される（矢印ａ）。この前方に移動した挟持片５が、図５のように、コイルバネ２６に弾接されると、コイルバネ２６により後方への付勢を受け、取付操作ねじ４と挟持片５との螺合がきつくなってその摩擦力により取付操作ねじ４と挟持片５とが共廻りをするようになる（矢印ｂ）。つまり、コイルバネ２６は、締付け方向に回転させた取付操作ねじ４に対して挟持片５を締付け方向に共廻りさせるための締付側共廻り手段６を構成している。
【００１６】
この締付側共廻り手段６によって締付け方向に共廻りした挟持片５は、その側縁が挟持片収納部１１の上面１１ａ又は下面１１ｂに当接し、それ以上共廻りしないように廻り止めされる。このときには挟持片５は埋設スピーカー１ａから側方に突出する状態となっている。詳しくは、図４のように、正面視右側の取付操作ねじ４（４Ａ）は挟持片収納部１１の下部に位置して設けられており、締付け方向に共廻りした挟持片５はその側縁が挟持片収納部１１の下面１１ｂに当接して廻り止めが為される。一方、正面視左側の取付操作ねじ４（４Ｂ）は挟持片収納部１１の上部に位置して設けられており、締付け方向に共廻りした挟持片５はその側縁が挟持片収納部１１の上面１１ａに当接して廻り止めが為される。つまり、締め付け方向に共廻りをした挟持片５が当接する挟持片収納部１１の下面１１ｂ又は上面１１ａは、締付側共廻り手段６にて共廻りさせた挟持片５を埋設用機器１から側方に突出する状態で廻り止めさせるための締付側廻止部７を構成している。
【００１７】
上述のように締付側廻止部７と締付側共廻り手段６によって挟持片５は埋設スピーカー１ａから側方に突出する状態になるのであるが、取付操作ねじ４を更に締付け方向に回転させ続ければ、挟持片５は埋設スピーカー１ａから側方に突出した状態のままコイルバネ２６の後方付勢に逆らって取付操作ねじ４に沿って前方に移動させることができる。ここで、埋設スピーカー１ａから側方に突出した状態の挟持片５は、埋設スピーカー１ａの前部で側方に突出するフランジ片８と前後で対向する状態になっているから、この対向する挟持片５とフランジ片８との間でスカート板材２２の取付用開口縁を挟持でき、埋設スピーカー１ａが便器２０に取付けられて埋設できるのである。なお、本例では挟持片５の押圧突部５ａでフランジ片８との協働でスカート板材２２を挟持するから、強固な挟持圧でスカート板材２２の挟持が可能にされている。また、図６にように、円弧板状のスカート板材２２は取付用開口縁での曲率が左右で異なる場合があって、つまり一対の挟持片５とフランジ片８とで挟持する挟持厚が異なる場合が多々あるが、一対の取付操作ねじ４の各々において挟持片５の前後位置を自由に設定できるから、上記異なる挟持厚に応じて適宜スカート板材２２の取付用開口縁が挟持可能にされている。
【００１８】
また、本例の埋設スピーカー１ａは埋設されている便器２０から支障なく取り外すことができる利点を有する。取付操作ねじ４を緩め方向に回転させると、挟持片５が取付操作ねじ４に沿って後方に移動される（矢印ｃ）。つまり、挟持片５とフランジ片８とでスカート板材２２の取付用開口縁を挟持した状態で、取付操作ねじ４を緩め方向に回転させると、スカート板材２２の取付用開口縁の挟持が解除される。
【００１９】
そのまま取付操作ねじ４を緩め方向に回転させ続け、挟持片５を取付操作ねじ４に沿って後方に螺進させていくと、図７のように、挟持片５はその後面５ｂと挟持片収納部１１の後面１１ｄである当り面１３とが当接し、上記当接によって挟持片５は前方に付勢されて取付操作ねじ４と挟持片５との螺合がきつくなってその摩擦力によって取付操作ねじ４と挟持片５とが共廻りをするようになり、挟持片５が挟持片収納部１１内に収容されるようになる（矢印ｄ）。つまり、挟持片５の後面５ｂが当接される挟持片収納部１１の当り面１３が、緩め方向に回転させた取付操作ねじ４に挟持片５を緩め方向に共廻りさせるための緩め側共廻り手段９を構成している。
【００２０】
更に取付操作ねじ４を緩め方向に回転させ続けると、共廻りした挟持片５は挟持片収納部１１に収容された状態となると共に、その側縁が挟持片収納部１１の側面１１ｃに当接されて廻り止めが為される。つまり、挟持片収納部１１の側面１１ｃは、共廻りさせた挟持片５を埋設用機器１に設けた挟持片収納部１１に収容した状態で廻り止めさせるための緩め側廻止部１０を構成している。そして、この挟持片収納部１１に収容されるべく共廻りする挟持片５は、当り面１３に当接された状態から更に後方へ押圧されるようにして為されるのであり、つまり挟持片５は当り面１３に対して締め付けられた状態になって埋設スピーカー１ａに対して保持された状態となる。すなわち、共廻りした挟持片５の後面５ｂが押圧される挟持片収納部１１の当り面１３は、緩め側共廻り手段９と緩め側廻止部１０とで挟持片収納部１１内に収容した挟持片５を埋設スピーカー１ａに対して保持させる収納維持手段１２を構成している。なお、挟持片５は取付操作ねじ４を締付け方向に回転させれば前方に移動するから、埋設スピーカー１ａに対して保持された挟持片５は取付操作ねじ４を締付け方向に回転させればその保持が解除されるようになる。つまり、上記収納維持手段１２は、埋設スピーカー１ａによる挟持片５の保持が取付操作ねじ４の締付け方向の回転によって解除されるようになっている。
【００２１】
上述のように挟持片５は、図１に示すように、緩め側共廻り手段９と緩め側廻止部１０によって挟持片収納部１１内に収容した状態にできる。つまり、従来のように工具などを取付用開口３から挿入して被取付板材２の裏側で挟持片５を埋設用機器１内に収容させるような煩雑な作業が必要ではなく、取付操作ねじ４を緩め方向に回転させるといった被取付板材２の前側での簡単な操作で、挟持片５を挟持片収納部１１内に収容した状態にできる。そして、上記のように収納維持手段１２によって挟持片５を挟持片収納部１１に収容された状態で保持させることができるから、埋設スピーカー１ａを傾けたりしても挟持片５が自重によって埋設スピーカー１ａの側方に突出してしまうことも無く、従来のように挟持片５が被取付板材２の裏側に引っ掛かる恐れも無くて、確実に取付用開口３から本体ブロック１７を抜いて、便器２０から埋設スピーカー１ａをスムーズに取り外すことができるのである。
【００２２】
詳しくは本例のコイルバネ２６は、コイルバネ２６の取付操作ねじ４への巻装後に行う取付操作ねじ４への抜け止め片２５の組み付け作業を容易にするために、抜け止め片２５と取付操作ねじ４の軸部４ａ先端との長さ寸法よりも充分に短い長さ寸法を有するものが用いられているから、取付操作ねじ４を緩み方向に回転させて取付開口縁の挟持状態を解除した挟持片５は一旦はコイルバネ２６の後方への付勢によって取付操作ねじ４と共廻りをする状態になるが、後方に移動していく挟持片５はある時点でコイルバネ２６の弾性が無くなってその自重により再び埋設スピーカー１ａの側方に突出することもあり得る。しかしながら、叙述のように挟持片収納部１１の当り面１３で構成された緩め側共廻り手段９によって、再び取付操作ねじ４に共廻り可能な状態となって、緩め側廻止部１０との協働で挟持片５を挟持片収納部１１内に収容できるようになっている。なお、たとえばコイルバネ２６に、抜け止め片２５と取付操作ねじ４の軸部４ａ先端との長さ寸法と略同長さ寸法に形成されたものを用いた場合には、後方に移動する挟持片５が当り面１３に圧接される状態にまでコイルバネ２６を挟持片５に弾接させることができるから、締付側共廻り手段６に加えて緩め側共廻り手段９をも兼用することができる。
【００２３】
本例の埋設スピーカー１ａにあっては、その工場出荷時には、収納維持手段１２によって挟持片５を挟持片収納部１１に収容された状態で保持させておくことが好ましく、これによると、現場搬送時に挟持片５が挟持片収納部１１から飛び出てしまうことを防止できると共に、取付け現場で挟持片５がスカート板材２２の前面に引っ掛かったりせずに取付用開口３に本体ブロック１７をスムーズに挿入して、最大限に広げた状態のフランジ片８と挟持片５と隙間にスカート板材２２の取付用開口縁をスムーズに位置させて、上述した取り付け施工をスムーズに行わせることができる。また、便器２０に埋設した埋設スピーカー１ａを修理などで取り外す際には上述のように収納維持手段１２によって挟持片５を挟持片収納部１１に収容された状態で保持させた状態で行われるのであるから、修理後に再び便器２０に埋設させる場合にも上記と同様に、取付け現場で挟持片５がスカート板材２２の前面に引っ掛かったりせずに取付用開口３に本体ブロック１７をスムーズに挿入して、最大限に広げた状態のフランジ片８と挟持片５と隙間にスカート板材２２の取付用開口縁をスムーズに位置させ、上述した取り付け施工をスムーズに行わせることができるのである。
【図面の簡単な説明】
【００２４】
【図１】本発明の実施の形態の例であり、（ａ）は挟持片収納部に収容される際の挟持片の動作を説明する埋設スピーカーの斜視図であり、（ｂ）は挟持片収納部に収容された状態の埋設スピーカーの概略水平断面図である。
【図２】同上の埋設スピーカーを埋設した便器の斜視図である。
【図３】同上の埋設スピーカーであり、（ａ）は前面側から見た斜視図であり、（ｂ）は裏面側から見た斜視図であり、（ｃ）は裏面側から見た分解斜視図である。
【図４】同上の本体ブロックを省略した状態（蓋板ブロックのみ）の埋設スピーカーであり、（ａ）は裏面側から見た斜視図であり、（ｂ）は（ａ）の裏面図である。
【図５】同上の挟持片の動作を説明する要部の斜視図である。
【図６】同上の被取付板材を埋設スピーカーのフランジ片と挟持片とで挟持した状態の概略水平断面図である。
【図７】同上の挟持片の動作を説明する要部の斜視図である。
【図８】従来技術の例の埋設用機器を被取付板材に取り付けた状態の側断面図である。
【符号の説明】
【００２５】
１  埋設用機器
１ａ  埋設スピーカー
２  被取付板材
３  取付用開口
４  取付操作ねじ
５  挟持片
６  締付側共廻り手段
７  締付側廻止部
８  フランジ片
９  緩め側共廻り手段
１０  緩め側廻止部
１１  挟持片収納部
１２  収納維持手段
【図１】
2008054254.tif 000003
【図２】
2008054254.tif 000004
【図３】
2008054254.tif 000005
【図４】
2008054254.tif 000006
【図５】
2008054254.tif 000007
【図６】
2008054254.tif 000008
【図７】
2008054254.tif 000009
【図８】
2008054254.tif 000010